(57)【要約】【課題】カードの包装体として開示されている技術は、２種類のフィルムを積層した基材を使用し、材料が高価である上に、チューブを実装する際に空気が抜けにくいという欠点があった。【解決手段】透明な基材の片側全面に熱可塑性の接着層が形成された帯状の収納部付きラミネートシートであって、収納部付きラミネートシートの中央部に、帯を二分する中央折り畳み線が形成され、中央折り畳み線の両側、等距離の位置に中央折り畳み線と平行な仮想線が形成され、中央折り畳み線と仮想線によって区切られた二つのシートの一方の側辺には帯のセンターラインに対し線対称に同一形状の切欠きが形成され、中央折り畳み線と仮想線の中間には第二の折り畳み線が形成された収納部付きラミネートシートを提供する。【選択図】  図１
2007045476.tif 000002
【特許請求の範囲】
【請求項１】
透明な基材の片側全面に熱可塑性の接着層が形成された帯状の収納部付きラミネートシートであって、
収納部付きラミネートシートの中央部に、帯を二分する中央折り畳み線が形成され、
中央折り畳み線の両側、等距離の位置に中央折り畳み線と平行な仮想線が形成され、
中央折り畳み線と仮想線によって区切られた二つのシートの一方の側辺には帯のセンターラインに対し線対称に同一形状の切欠きが形成され、
中央折り畳み線と仮想線の中間には第二の折り畳み線が形成されたことを特徴とする収納部付きラミネートシート。
【請求項２】
請求項１に記載の収納部付きラミネートシートにおいて、
中央折り畳み線の略中央部に中央折り畳み線によって二分された第一の開口部が形成されたことを特徴とする収納部付きラミネートシート。
【請求項３】
請求項１，２何れか一項に記載の収納部付きラミネートシートにおいて、
中央折り畳み線と第二の折り畳み線の間に、中央折り畳み線に対し線対称に同一形状の第二の開口部が形成されたことを特徴とする収納部付きラミネートシート。
【請求項４】
請求項１〜３何れか一項に記載の収納部付きラミネートシートの使用方法であって、
収納部付きラミネートシートを接着剤が内側になるように中央折り畳み線で折り畳み、さらに、第二の折り畳み線で切欠きが内側になるように折り畳み、帯の始端，終端と第二の折り畳み線で囲まれた収納部付きラミネートシートの間に印刷物を挟み、印刷物をラミネートして使用することを特徴とする収納部付きラミネートシートの使用方法。
【発明の詳細な説明】
【技術分野】
【０００１】
本発明は、収納部付きＩＤ証などを作製するための収納部付きラミネートシートおよびその使用方法に関する。
【背景技術】
【０００２】
近年、社員数が多い企業では、業務中は、入場を許可された者であることが判るように、社員証をケースなどに収納し、見える状態で所持することを義務付けている。
また、展示会などでは、展示会関係者であることを明確にするために、所定の印刷が施されたＩＤ証を両面からシールし、紐などで首にかけて会場内を移動するよう義務付けられる。
そこで、ＩＤ証のような挿入物の出し入れが容易で、しかも接着面が剥がれにくく、比較的高度な加工技術を要せずに製造し得る構造の「カードの包装体」が提供されている（例えば、特許文献１参照）。
前述の特許文献１に記載の技術は、融点の低いフィルムとこれより融点の高いフィルムを積層した透明な外層合成樹脂シートを、融点の低いフィルムを内側にして２枚対向させ、これらの融点の低いフィルム間にカードを挟み、かつ融点の低いフィルムの一方とカードとの間の一部に、外側に融点の低い合成樹脂層を備え内側にこれより融点が高くチューブ成型可能の柔軟性のある合成樹脂より成るチューブ本体から構成される内挿合成樹脂チューブを圧扁して挟み、前記外層合成樹脂シートを互に上記融点の低いフィルムの融点にて融着させて前記カードおよび内挿合成樹脂チューブの外面を固定し、該内挿合成樹脂チューブの対向面を非接着すると共に得られる包装体の少なくとも一辺に開口部を有する厚さの薄い物品の収納部を形成したものである。
【０００３】
【特許文献１】特開２００１−３０１８２１号公報
【発明の開示】
【発明が解決しようとする課題】
【０００４】
前述の、特許文献１に開示されている技術は、カードの包装体として２種類のフィルムを積層した基材を使用しなければならず、また、チューブを実装する際に空気が抜けにくいという欠点があった。
【課題を解決するための手段】
【０００５】
前記課題を解決するために、本発明の収納部付きラミネートシートの請求項１に記載の発明は、透明な基材の片側全面に熱可塑性の接着層が形成された帯状の収納部付きラミネートシートであって、収納部付きラミネートシートの中央部に、帯を二分する中央折り畳み線が形成され、中央折り畳み線の両側、等距離の位置に中央折り畳み線と平行な仮想線が形成され、中央折り畳み線と仮想線によって区切られた二つのシートの一方の側辺には帯のセンターラインに対し線対称に同一形状の切欠きが形成され、中央折り畳み線と仮想線の中間には第二の折り畳み線が形成されたことを特徴とするものである。
【０００６】
また、請求項２に記載の発明は、請求項１に記載の発明において、中央折り畳み線の略中央部に中央折り畳み線によって二分された第一の開口部が形成されたことを特徴とするものである。
【０００７】
また、請求項３に記載の発明は、請求項１，２何れか一項に記載の発明において、中央折り畳み線と第二の折り畳み線の間に、中央折り畳み線に対し線対称に同一形状の第二の開口部が形成されたことを特徴とするものである。
【０００８】
また、請求項４に記載の発明は、請求項１〜３何れか一項に記載の収納部付きラミネートシートの使用方法であって、収納部付きラミネートシートを接着剤が内側になるように中央折り畳み線で折り畳み、さらに、第二の折り畳み線で切欠きが内側になるように折り畳み、帯の始端，終端と第二の折り畳み線で囲まれた収納部付きラミネートシートの間に印刷物を挟み、印刷物をラミネートして使用することを特徴とするものである。
【発明の効果】
【０００９】
１）請求項１に記載のように、透明な基材の片側全面に熱可塑性の接着層が形成された帯状の収納部付きラミネートシートであって、収納部付きラミネートシートの中央部に、帯を二分する中央折り畳み線が形成され、中央折り畳み線の両側、等距離の位置に中央折り畳み線と平行な仮想線が形成され、中央折り畳み線と仮想線によって区切られた二つのシートの一方の側辺には帯のセンターラインに対し線対称に同一形状の切欠きが形成され、中央折り畳み線と仮想線の中間には第二の折り畳み線が形成されたことによって、積層構成が単純で、一度の打ち抜きによって得られるため、収納部付きラミネートシートを安く提供することができる。
２）また、請求項２，３に記載のように、請求項１に記載の発明において、中央折り畳み線の略中央部に中央折り畳み線によって二分された第一の開口部が形成されたことによって、および／または、中央折り畳み線と第二の折り畳み線の間に、中央折り畳み線に対し線対称に同一形状の第二の開口部が形成されたことによって、収納部に収納した内容物を取り出し易くすることができる。
３）また、請求項４に記載のように、請求項１〜３何れか一項に記載の収納部付きラミネートシートの使用方法であって、収納部付きラミネートシートを接着剤が内側になるように中央折り畳み線で折り畳み、さらに、第二の折り畳み線で切欠きが内側になるように折り畳み、帯の始端，終端と第二の折り畳み線で囲まれた収納部付きラミネートシートの間に印刷物を挟み、印刷物をラミネートして使用することによって、簡単な準備動作によってラミネート直前の状態にすることができ、熱圧着ローラの間を一回通過させるだけで収納部付きラミネート物を作製することができる。
【発明を実施するための最良の形態】
【００１０】
以下、図面を参照して、本発明の収納部付きラミネートシートについて説明する。
図１は、本発明の収納部付きラミネートシートの一例について説明するための図，図２は、本発明の収納部付きラミネートシートの折り畳み手順について説明するための図，図３は、本発明の収納部付きラミネートシートへの印刷物挿入手順について説明するための図，図４は、本発明の収納部付きラミネートシートによる収納部付きラミネート物の一例について説明するための図，図５は、図４のＡ−Ａ線断面の一例について説明するための図，図６は、図４のＢ−Ｂ線断面の一例について説明するための図，図７は、本発明の収納部付きラミネートシートの他の一例について説明するための図，図８は、本発明の収納部付きラミネートシートの切欠き部の他の一例について説明するための図，である。
【００１１】
図１を参照して、本発明の収納部付きラミネートシートの一例について説明する。
収納部付きラミネートシート１は、透明な基材の片面全面に、図示しないが、透明な熱可塑性の接着層が形成されたシート、Ａ，Ａ’，Ｂ，Ｃ，Ｄ’，Ｄが連接された構造になっている。
収納部付きラミネートシートの中央部、シートＢ，Ｃの境界には、帯を二分する中央折り畳み線１１が、例えば、ミシン目状の切込みを伴って形成されている。
基材に二軸延伸ポリエチレンテレフタレートフィルムなどを使用した場合は、折り畳みが困難になり切込みを必要とするが、透明紙などを使用し容易に折り畳みができるような場合は、必ずしも切込みを必要としない。
中央折り畳み線の両側、等距離の位置、「シートＡ，Ａ’」、「シートＤ’，Ｄ」の境界に、中央折り畳み線１１と平行な仮想線１５が形成されている。
「仮想線」１５は、説明の便宜上設定した線で、「仮想線」１５が実際の収納部付きラミネートシートに形成されることはない。
また、央折り畳み線１１と仮想線１５によって区切られた二つのシート、「シートＡ’＋Ｂ」、「シートＣ＋Ｄ’」の一方、「シートＣ＋Ｄ’」の側辺には帯のセンターライン（図示せず）に対し線対称に同一形状の切欠き１４が形成されている。
図１に示す切欠き１４は、中央折り畳み線１１から仮想線１５までの長さの細長い帯の形をしている。
切欠き１４は、例えば、図８で説明するような「のこぎりの刃」のようになっていてもよい。
中央折り畳み線と仮想線の中間、即ち、シートＡ’とＢ及びＣとＤ’の境界には、第二の折り畳み線１２，１３が中央折り畳み線と同様、ミシン目状の切込みを伴って形成されている。
【００１２】
また、図１において、シートＡとシートＤ，シートＣとシートＤ’，シートＡ’とシートＢはそれぞれ同一の形をしている。
また、シートＣとシートＤ’，シートＡ’とシートＢは矩形状であることが好ましいが、シートＡとシートＤは、矩形に拘る必要はなく、特に端縁部は自由な形状にすることができる。
【００１３】
印刷物２は、収納部付きラミネートシートが折り畳まれた後「Ａ＋Ａ’」のシートと「Ｄ’＋Ｄ」のシートの間に挟まれてラミネートされる。
印印刷物２は、会社名，氏名など固有情報がプリントされた印刷物（ＩＤ証）でもよく、例えば、期間情報や、展示場情報など共通内容が印刷された印刷物でもよい
【００１４】
図２を参照して、本発明の収納部付きラミネートシートの折り畳み手順について説明する。
収納部付きラミネートシート１は、まず、中央折り畳み線１１で折り畳まれ、次いで２枚のシートが重なった状態で切欠き１４が形成されている側を内側にして第二の折り畳み線１２，１３で折り畳まれる。その結果、収納部付きラミネートシートは、「１ａ」の状態から「１ｂ」の状態になる。
【００１５】
図３を参照して、本発明の収納部付きラミネートシートへの印刷物挿入手順について説明する。
図２で説明した「１ｂ」状態のシートの間に印刷物２を差し込み、「１ｃ」の状態にする。
このときに、印刷物に固有情報がプリントされている場合は、固有情報プリント面が収納部形成面と同一面となるように、また、収納面によって固有情報が隠れないように差し込む。
【００１６】
図４を参照して、本発明の収納部付きラミネートシートによる収納部付きラミネート物の一例について説明する。
図３の「１ｃ」の状態で折り畳まれた収納部付きラミネートシートをヒートローラーなどの間を通し加熱圧着する。
その結果、図に示すような、印刷物がラミネートされ、収納部６を伴ったラミネート物３が出来上がる。
図示しないが、収納部６を伴ったラミネート物３の上部に孔を形成し、紐で吊るすようにしてもよい。収納部付きラミネート物３の孔に紐を通し、収納部が外側になるように首に吊り下げる。
【００１７】
図５を参照して、図４のＡ−Ａ線断面の一例について説明する。
収納部付きラミネートシート１は、先ず中央折り畳み線１１で折り畳まれ、さらに第二の折り畳み線１２，１３で折り畳まれ、広い面積のシートの間には印刷物２が挟みこまれ、接着層１０によってラミネートされる。その結果収納部６を伴った収納部付きラミネート物３が出来上がる。ラミネートは、１回の操作で行われる。
収納部６の内側は、基材１００の面が対向している構造になっているために隙間が生じ、その隙間に物を収納することができる。
【００１８】
図６を参照して、図４のＢ−Ｂ線断面の一例について説明する。
接着層１０を伴った透明な基材１００は、収納部付きラミネートシート１の左右の切欠き部４で接着し、収納部６を形成する。
収納部６の背面には、印刷物２がラミネートされている。図示しないが、印刷物２の固有情報プリント面は、収納部６が形成された面になるようにラミネートする。
【００１９】
図７を参照して、本発明の収納部付きラミネートシートの他の一例について説明する。
図７に示す収納部付きラミネートシート１の例は、中央折り畳み線１１上に第一の開口部１６を中央折り畳み線１１で二分されるように形成し、中央折り畳み線１１の両側のシートに開口部１７を形成した例である。
図の収納部付きラミネートシート１を図２で説明したように折り畳んで、印刷物２をラミネートすると、矢印の右側の図に示すように、収納部上端に半円状の切欠き（第一の開口部１６）が形成された収納部付きラミネート物４が出来上がる。
収納部の中央部には第二の開口部１７が形成され、収納物が引き出し難い時に、第二の開口部１７から収納物を指で押し出すことができる。
第一の開口部と、第二の開口部は、必ずしも一緒に形成されなくてもよい。
【００２０】
図８を参照して、本発明の収納部付きラミネートシートの切欠き部の他の一例について説明する。
接着代を確保するための切欠き１４１であるから、収納部付きラミネートシート１の中央折り畳み線１１と、仮想線１５に区切られたシートの左右に、収納部付きラミネートシート１の帯のセンターラインに対し、線対称に隙間が形成されていればよい。
即ち、切欠きの形状は、前記目的が達成させるものであればどのような形状でもよい。図の収納部付きラミネートシート１を図２で説明したように折り畳んで、印刷物２をラミネートすると、矢印の右側の図に示すのようなラミネート物５が出来上がる。
【００２１】
本発明の収納部付きラミネートシートに使用される材料について説明する。
基材は、印刷物にプリントされた固有情報が読取れればよいので、透明な紙でも、プラスチックでもよい。
但し、加熱圧着時に変形するものであってはならない。
好適には、二軸延伸ポリエチレンテレフタレートフィルム，６−６ナイロンなどから選択して使用する。
前記基材がポリエチレンテレフタレートフィルムであれば、ポリエステル系物質あるいはイミン系物質をコーティングして表面改質層を形成し、ポリエチレン系樹脂を溶融押出しによって塗布し、二軸延伸ポリエチレンテレフタレートフィルム／ポリエステル系物質あるいはイミン系物質／ポリエチレン系樹脂、の層構成よりなる公知のラミネートフィルムを作製する。
印刷物に使用される紙については特に限定しない。
【産業上の利用可能性】
【００２２】
展示会などイベントで利用できる。イベントで使用する場合は、イベントへの参加許可証やＩＤ証をラミネートし、収納部には自分の名刺やＩＤカードを収納して使用する。
【図面の簡単な説明】
【００２３】
【図１】本発明の収納部付きラミネートシートの一例について説明するための図である。
【図２】本発明の収納部付きラミネートシートの折り畳み手順について説明するための図である。
【図３】本発明の収納部付きラミネートシートへの印刷物挿入手順について説明するための図である。
【図４】本発明の収納部付きラミネートシートによる収納部付きラミネート物の一例について説明するための図である。
【図５】図４のＡ−Ａ線断面の一例について説明するための図である。
【図６】図４のＢ−Ｂ線断面の一例について説明するための図である。
【図７】本発明の収納部付きラミネートシートの他の一例について説明するための図である。
【図８】本発明の収納部付きラミネートシートの切欠き部の他の一例について説明するための図である。
【符号の説明】
【００２４】
１      本発明の収納部付きラミネートシート
１ａ    中央折り畳み線によって折り畳まれた収納部付きラミネートシート
１ｂ    第二の折り畳み線によって折り畳まれた収納部付きラミネートシート
１ｃ    印刷物が挟み込まれた収納部付きラミネートシート
２      印刷物
３，４，５  収納部付きラミネート物
６      収納部
１０    接着剤，接着層
１１    中央折り畳み線
１２，１３  第二の折り畳み線
１４，１４１  切欠き部
１５    仮想線
１６    第一の開口部
１７    第二の開口部
１００  基材
【図１】
2007045476.tif 000003
【図２】
2007045476.tif 000004
【図３】
2007045476.tif 000005
【図４】
2007045476.tif 000006
【図５】
2007045476.tif 000007
【図６】
2007045476.tif 000008
【図７】
2007045476.tif 000009
【図８】
2007045476.tif 000010